(57)【要約】【課題】空気加熱手段を内包しつつ、本体のコンパクト化を実現できる送風装置を提供することを目的とする。【解決手段】送風装置１１は、筐体１２に空気を取り入れる吸込口１５と、高圧空気を発生するための高圧空気発生手段１８と、高圧空気を吹出すための環形状の吹出口１９と、羽根車１６から吹出口１９に導く第一風路２０と、吹出口１９から吹出す空気に誘引されて空気を吸込む複数の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成され、第一風路２０内の高圧空気発生手段１８と誘引空気吸込口２１との間にセラミックヒーター２６を備える。【選択図】図２
2014040810.tif 000002
【特許請求の範囲】
【請求項１】
筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第一風路内の前記高圧空気発生手段と誘引空気吸込口との間に空気加熱手段を備えたことを特徴とする送風装置。
【請求項２】
複数の誘引空気吸込口と、前記複数の誘引空気吸込口から吸込まれた空気を混合する誘引空気混合部を設けたことを特徴とする請求項１に記載の送風装置。
【請求項３】
複数の誘引空気吸込口が吹出口の軸中心から略放射状に備えられたことを特徴とする請求項２に記載の送風装置。
【請求項４】
吸込口と吹出口が対向する位置に略同軸上に備えられたことを特徴とする請求項２または３に記載の送風装置。
【請求項５】
筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とする請求項２乃至４いずれかに記載の送風装置。
【請求項６】
空気加熱手段が羽根車からの高圧空気を整流するための整流化手段を兼ねていることを特徴とする請求項１乃至５いずれかに記載の送風装置。
【発明の詳細な説明】
【技術分野】
【０００１】
本発明は、直接空気流や加熱した空気流による体感温度の増減、また衣類や髪の乾燥に使用される温風機やヘアードライヤなどの送風装置に関するものである。
【背景技術】
【０００２】
従来、この種の送風装置は、羽根車とモータを台座となる基部に内包して、基部上部に備えられた空気加熱手段を内包した環状ノズルから床面と水平方向に吹出すようにて空気の循環及び空気の流れを生じさせる家庭用温風付送風装置が知られている（例えば、特許文献１参照）。
【０００３】
以下、その送風装置について図５、図６および図７を参照しながら説明する。
【０００４】
図５は、送風装置組立体１００をその正面から見た投影図を、図６は送風装置組立体１００の線Ａ−Ａでの断面投影図を、図７は送風装置組立体１００の線Ｂ−Ｂでの断面投影図を示している。
【０００５】
送風装置組立体１００は、主空気流を作り出す羽根車１０１と、羽根車１０１を駆動するモータ１０２を基部１０３の内部に配置し、基部１０３上部には基部１０３に接続されるように環状口部１０４を含む環状ノズル１０５を備えてなる。主空気流は羽根車１０１により基部１０３内に引き込まれ、環状ノズル１０５の環状口部１０４からユーザの方向に吹出すものである。ここで、環状ノズル１０５は送風装置組立体１００の局所環境における空気が環状口部１０４から放出された主空気流によって引き込まれる中心開口部１０６を形成し、主空気流を増幅して空気の流れを発生させる。送風装置組立体１００はまた、主空気流の第１の部分を加熱する空気加熱手段１０７と主空気流の第２の部分を空気加熱手段１０７から離れる方向に分流させる、そらせ手段１０８とを含む。主空気流の第２の部分は、環状ノズル１０５の外面１０９側に誘導されて空気加熱手段１０７の使用中にその表面を低温に保つことができ、ユーザは空気加熱手段１０７の高温外面から遮蔽されるものである。このような構成により、送風装置組立体１００はブレード付きファンの使用なしに、比較的均一な空気の流れを発生させ、かつ部屋内に又はユーザの方向に案内することができる。
【先行技術文献】
【特許文献】
【０００６】
【特許文献１】特開２０１２−３６８９７号公報
【発明の概要】
【発明が解決しようとする課題】
【０００７】
このような従来の送風装置では、環状ノズルの中心開口部の前後は、局所環境における空気を引き込み主空気流を増幅するために開放されている必要があるため、基部と環状ノズルを分けて配置する必要があり、本体をコンパクト化するためには環状ノズル内に空気加熱手段を配置する必要がある。このため、ユーザを空気加熱手段の高温外面から遮蔽するためには、空気加熱手段と環状ノズルの外面の間に空気流を誘導するなど対策する必要があり、環状ノズルをコンパクトにできず、本体のコンパクトもできないという課題があった。
【０００８】
そこで本発明は、上記従来の課題を解決するものであり、空気加熱手段を内包しつつ、本体のコンパクト化を実現できる送風装置を提供することを目的とする。
【課題を解決するための手段】
【０００９】
そして、この目的を達成するために、本発明は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第一風路内の前記高圧空気発生手段と誘引空気吸込口との間に空気加熱手段を備えたことを特徴とする送風装置としたものであり、これにより所期の目的を達成するものである。
【発明の効果】
【００１０】
本発明によれば、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第一風路内の前記高圧空気発生手段と誘引空気吸込口との間に空気加熱手段を備えた送風装置としたことにより、空気加熱手段を内包しつつ、本体のコンパクト化を実現できるものである。
【図面の簡単な説明】
【００１１】
【図１】本発明の実施の形態１の送風装置の斜視図
【図２】本発明の実施の形態１の送風装置の断面を示す構成図
【図３】本発明の実施の形態２の送風装置の斜視図
【図４】本発明の実施の形態２の送風装置の断面を示す構成図
【図５】従来技術の一例を示す正面図
【図６】従来技術の一例を示す断面を示す構成図
【図７】従来技術の一例を示す断面を示す構成図
【発明を実施するための形態】
【００１２】
本発明の請求項１記載の送風装置は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第一風路内の前記高圧空気発生手段と誘引空気吸込口との間に空気加熱手段を備えたことを特徴とするものである。ここで、高圧空気とは大気圧以上、大気圧プラス１０ｋＰａ以下の空気を示すものとする。
【００１３】
これにより、空気加熱手段を内包しつつ、本体のコンパクト化を実現できる。また、吹出口からは温風が、誘引空気吹出口からは室温の空気が吹出されるため、吹出口近傍では温度差のある空気流を作ることができるため、髪にあてることで髪の艶向上や毛の流れ整えることができる。
【００１４】
また、複数の誘引空気吸込口と、前記複数の誘引空気吸込口から吸込まれた空気を混合する誘引空気混合部を設けたことを特徴とする請求項１に記載の送風装置としたものである。
【００１５】
これにより、これにより、空気加熱手段を内包しつつ、本体のコンパクト化を実現できる。また、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができ、温風を遠方まで効率よく送ることができる。また、誘引空気吸込口が複数あるため、一つの誘引空気吸込口が塞がれるような使用状態でも、他の誘引空気吸込口から空気を誘引できるため性能を発揮することができる。また、吹出口からは温風が、誘引空気吹出口からは室温の空気が吹出されるため、吹出口近傍では温度差のある空気流を作ることができるため、髪にあてることで髪の艶向上や毛の流れ整えることができる。
【００１６】
また、複数の誘引空気吸込口が吹出口の軸中心から略放射状に備えられたことを特徴とするもので、複数の誘引空気吸込口から誘引された空気は、複数の誘引空気吸込口が軸中心から略放射状に備えられているため、誘引空気混合部の中心部で効率よく混合され、誘引空気吹出口の方向に流れを変更された状態で誘引空気吹出口からまとまって吹出されるため、吹出された空気は中心部にコア領域が形成されるため直進性に優れ、遠方まで風速の減衰が少なく到達する気流を効率よく生み出すことができ、温風を遠方まで効率よく送ることができる。
【００１７】
また、吸込口と吹出口が対向する位置に略同軸上に備えられたことを特徴とするもので、吸込口と吹出口の距離が離れるため、吹出した空気が吸込口に再び吸込まれることを防ぐことができ、効率よく遠方に設定温度の気流を送ることができる。
【００１８】
また、筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とするもので、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができ、温風を遠方まで効率よく送ることができる。
【００１９】
また、空気加熱手段が羽根車からの高圧空気を整流するための整流化手段を兼ねていることを特徴とするもので、空気加熱手段で空気温度を上昇させると共に、高圧空気を吹出口に効率よく送ることができる。また、空気加熱手段を使用しない場合にも、高圧空気の整流化手段として機能するため、部品点数を増やすことなく室温空気送風時の送風効率を高めることができる。
【００２０】
以下、本発明の実施の形態について図面を参照しながら説明する。
【００２１】
（実施の形態１）
図１は送風装置１１の斜視図、図２は図１の断面Ｘでの断面を示す構成図である。
【００２２】
図１および図２に示すように、送風装置１１は、球形状の筐体１２が外壁１３と内壁１４の二重壁を備え、空気を取り入れる吸込口１５と、高圧空気を発生するための羽根車１６と羽根車１６を駆動するためのモータ１７で構成された高圧空気発生手段１８と、高圧空気を吹出すための環形状の吹出口１９と、高圧空気を羽根車１６から吹出口１９に導く第一風路２０と、吹出口１９から吹出す空気に誘引されて空気を吸込む複数（本実施形態では６個）の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成され、第一風路２０内の高圧空気発生手段１８と誘引空気吸込口２１との間に空気加熱手段としてのセラミックヒーター２６を備えるものである。
【００２３】
また、セラミックヒーター２６は板状形状のものを吹出口１９の軸中心から全周に放射状に配置されている。本実施形態では、セラミックヒーター２６はくの字形状としているが、これは高圧空気とセラミックヒーター２６の接触面積を増大させ、空気加熱効率を向上させるためであり、形状は特にこれに限定されるものではない。
【００２４】
また、空気加熱手段としては特にセラミックヒーター２６に限定されるものではなく、電熱線やカーボンヒーター、ハロゲンヒーターなど既存のものを利用できる。ここで、高圧空気とは大気圧以上、大気圧プラス１０ｋＰａ以下の空気を示すものとする。
【００２５】
また、第二風路２４は第一風路２０を貫通壁２５で貫通するように備えられ、第一風路２０は外壁１３と内壁１４と貫通壁２５で構成され、第二風路２４は内壁１４と貫通壁２５で構成され、誘引空気吹出口２３は吹出口１９の内環を構成する内壁１４に囲まれて構成されるものである。
【００２６】
ここで、複数の誘引空気吸込口２１は吹出口１９の軸中心から放射状に備えられており、吸込口１５と吹出口１９が対向する位置に筐体１２の球形状の中心を通る同軸上に備えられた構成となっている。また、本実施形態では筐体１２を球形状で表したが、筐体１２の形状としては特にこれに限定されるものではなく、多面体形状（正多面体や切頂多面体）、円柱形状、多角柱形状、有機的なフォルム形状など自由に選択することができる。
【００２７】
また、吹出口１９の環形状とは円に限定されるものではなく、環になっていれば多角形や曲線で構成された形状であってもよい。また環形状は性能に影響が出ない範囲であればリブなどにより部分的に途切れることがあっても問題はない。
【００２８】
また、図１に示すように、送風装置１１は設置台２７の上に設置されており、自由に吹出口１９の方向が変更できる構成となっている。なお、設置台２７としては吸込口１５から送風装置１１への空気の流入を妨げないように、設置台開口部２８が備えられたものが好ましい。なお、設置台２７がなく、床や卓上に筐体１２を直接設置しても吹出口１９の方向を変更し固定することは難しいが、送風性能に影響はないものである。
【００２９】
このような構成によれば、羽根車１６とセラミックヒーター２６が送風装置１１の外部から接触できないよう筐体１２内に内包されているため羽根車１６やセラミックヒーター２６に接触して怪我をするという不安を抱くことなく安心して使用できるようにしつつ、本体のコンパクト化を実現できる。
【００３０】
また、複数の誘引空気吸込口２１から誘引された空気は、誘引空気混合部２２で混合され、誘引空気吹出口２３の方向に流れを変更された状態で誘引空気吹出口２３からまとまった状態で吹出されるため、吹出された空気は中心部にコア領域が形成されるため直進性に優れ、遠方まで風速の減衰が少なく到達する気流を効率よく生み出すことができ、温風を遠方まで効率よく送ることができる。
【００３１】
また、誘引空気吸込口２１が複数あるため、一つの誘引空気吸込口２１が塞がれるような使用状態でも、他の誘引空気吸込口２１から空気を誘引できるため性能を発揮することができる。
【００３２】
また、吸込口１５と吹出口１９が対向する位置に同軸上に備えられたことで、吸込口１５と吹出口１９の距離が離れるため、吹出した空気が吸込口１５に再び吸込まれることを防ぐことができ、効率よく遠方に設定温度の気流を送ることができる。
【００３３】
また、セラミックヒーター２６は板状形状のものを吹出口１９の軸中心から全周に放射状に配置されているため、羽根車１６から旋回流として吹出口１９に送られる高圧空気を、吹出口１９方向に流れやすいように整流化する効果を備えるため、セラミックヒーター２６で空気温度を上昇させると共に、高圧空気を吹出口１９に効率よく送ることができる。また、セラミックヒーター２６を使用しない場合にも、高圧空気の整流化手段として機能するため、部品点数を増やすことなく室温空気送風時の送風効率を高めることができる。
【００３４】
なお、本実施形態では複数の誘引空気吸込口２１の場合を示したが、誘引空気吸込口２１がひとつであっても誘引空気吸込の開口面積を同等にすれば上記の「誘引空気吸込口２１が複数ある」効果以外は、同様の効果が得られるものである。
【００３５】
（実施の形態２）
図３、図４において、図１および図２と同様の構成要素については同一の符号を付し、その詳細な説明は省略する。
【００３６】
図３は送風装置としてのドライヤー３１の斜視図、図４は図３の断面Ｙでの断面である。図３及び図４に示すように、ドライヤー３１は、実施の形態１で示した構成で筐体１２の形状が壺形状筐体３２に形状変更したものである。ドライヤー３１の誘引空気吸込口２１は、隣り合う誘引空気吸込口２１に手を入れて持てる大きさの開口面積が確保された構成となっている。
【００３７】
このような構成によれば、吹出口からは温風が、誘引空気吹出口からは室温の空気が吹出されるため、吹出口近傍では温度差のある空気流を作ることができるため、空気流を温度差がついた状態で髪にあてることで髪の艶向上や毛の流れを整えることができるものである。
【産業上の利用可能性】
【００３８】
本発明にかかる送風装置は、空気加熱手段を内包しつつ、本体のコンパクト化を実現できる送風装置を提供できるため、居室内の床、机上、天井や壁に設置される温風機やヘアードライヤなどに利用できる。
【符号の説明】
【００３９】
１１  送風装置
１２  筐体
１３  外壁
１４  内壁
１５  吸込口
１６  羽根車
１７  モータ
１８  高圧空気発生手段
１９  吹出口
２０  第一風路
２１  誘引空気吸込口
２２  誘引空気混合部
２３  誘引空気吹出口
２４  第二風路
２５  貫通壁
２６  セラミックヒーター
２７  設置台
２８  設置台開口部
３１  ドライヤー
３２  壺形状筐体
１００  送風装置組立体
１０１  羽根車
１０２  モータ
１０３  基部
１０４  環状口部
１０５  環状ノズル
１０６  中心開口部
１０７  空気加熱手段
１０８  そらせ手段
１０９  外面
【図１】
2014040810.tif 000003
【図２】
2014040810.tif 000004
【図３】
2014040810.tif 000005
【図４】
2014040810.tif 000006
【図５】
2014040810.tif 000007
【図６】
2014040810.tif 000008
【図７】
2014040810.tif 000009